(57)【要約】  【課題】インバーター制御機器等に用いられるＩＰＭ（インテリジェントパワーモジュール）等の半導体素子とマイコン等の制御素子をサブ基板上に実装し、放熱板で囲う構造の電子回路装置に関して、収納ボックスに収納された場合においても、放熱性を向上しながら感電に対して信頼性のある電子回路装置を提供する。  【解決手段】放熱板をアースすることにより、収納ボックス１８１のカバー１８５もアースされるようにすることにより、カバー１８５にける感電に対する安全性を確保する。【選択図】図１
2009081233.tif 000002
【特許請求の範囲】
【請求項１】
縦型サブ基板と、前記縦型サブ基板上に前記縦型サブ基板と平行に対面するように実装されたＳＩＰ（シングル・インライン・パッケージ）型半導体素子と、前記縦型サブ基板上に実装され、前記ＳＩＰ型半導体素子の駆動を制御する制御半導体素子と、前記縦型サブ基板および前記ＳＩＰ型半導体素子を囲うように成形された放熱板と、前記縦型サブ基板の端部に配置された基板端子によって電気的に接続されることで前記縦型サブ基板を実装したメイン基板と、前記メイン基板を密閉収納する収納ボックスと、前記放熱板と熱的および電気的に接続されるとともに前記収納ボックスを密閉するカバーとを備え、前記放熱板はアースされたことを特徴とする電子回路装置。
【請求項２】
放熱板とメイン基板のアースパターンとを電気的に接続することによって前記放熱板およびカバーをアースした請求項１に記載の電子回路装置。
【請求項３】
放熱板の制御半導体素子と近接対面する側面に切り欠き開口部を設けた請求項１または２に記載の電子回路装置。
【請求項４】
請求項１から３のいずれか一項に記載の電子回路装置を用いた密閉型電動圧縮機。
【請求項５】
メイン基板の密閉型電動圧縮機への出力コネクタに、メイン基板のアースパターンと接続されたアース端子を設け、この端子に接続されたアース用電線と密閉容器とを電気的に接続することによってアースされる請求項４に記載の密閉型電動圧縮機。
【発明の詳細な説明】
【技術分野】
【０００１】
本発明はインバーター制御機器等に用いられるＩＰＭ（インテリジェントパワーモジュール）等の半導体素子を回路基板上に実装した電子回路装置に関するもので、特に冷蔵庫用密閉型電動圧縮機の駆動に好適なものである。
【背景技術】
【０００２】
近年、冷蔵庫等インバーター制御を使った機器が多く出ているが、これらのインバーター機器の電子回路装置においては、モータ等のインバーター駆動回路や、駆動回路の過電流に対する保護回路を１個のモジュールとして組み込んだＩＰＭ半導体素子が用いられるのが一般的である。
【０００３】
これらＩＰＭ半導体素子には、本体の両側に端子をだすＤＩＰ（デュアル・インライン・パッケージ）型の形状をしたものと、本体の片側に端子をだすＳＩＰ（シングル・インライン・パッケージ）型の形状をしたものがある。
【０００４】
また、これらのＩＰＭ半導体素子を制御駆動するための制御半導体素子にはマイコン等が用いられるのが一般的である。
【０００５】
これらのＩＰＭ半導体素子は発熱をするため、放熱板を取り付けなければならないが、ＳＩＰ型ＩＰＭ半導体素子とマイコン等の制御半導体素子を１つの縦型サブ基板上に実装し、放熱板が縦型サブ基板を囲うように構成するとともに、縦型サブ基板および放熱板をメイン基板に実装するようにして小型化する電子回路装置が提案されている（たとえば特許文献１参照）。
【０００６】
以下、図面を参照しながら上記従来の電子回路装置を説明する。
【０００７】
図８は特許文献１に記載された従来の電子回路装置の斜視図、図９は従来の電子回路装置の側面図、図１０従来の電子回路装置の電気回路ブロック図である。
【０００８】
また、図１１は同従来の電子回路装置における放熱板の折り曲げ加工前の斜視図、図１２は従来の電子回路装置を専用の収納ボックスに収めた斜視図、図１３は図１２におけるＣ−Ｃ線の側断面図である。
【０００９】
図１０において、電子回路装置７１は電気回路として、駆動回路５１ａおよび過電流保護回路５１ｂを内部に形成したＳＩＰ型半導体素子であるＩＰＭ５１を備えている。
【００１０】
また、電子回路装置７１は、制御半導体素子であるマイコン６１ａと、マイコン６１ａと接続される発振子６１ｃおよび三相のモータ８のロータ位置を検出する位置検知回路６１ｂから構成されている回転数制御回路６１とを備え、回転数制御回路６１はＩＰＭ５１へ指令を出す。
【００１１】
さらに、電子回路装置７１は、ＩＰＭ５１用のモータ駆動用電源回路６９ａと回転数制御回路６１用の制御用電源回路６９ｂとを備えた電源回路６９、電源およびアースと電気接続する電源コネクタ５、電子回路装置７１とモータ８を電気接続する出力コネクタ７を備えている。
【００１２】
また、図８ないし図１３に示すように、電子回路装置７１は上記電気回路を構成するためにその他の部品として、メイン基板６７、縦型サブ基板５３、放熱板５９、ＩＰＭ取付けネジ５５、ナット５７、基板端子６５などを備えている。
【００１３】
以下、電子回路装置の詳細な構成について説明する。
【００１４】
ＳＩＰ型半導体素子であるＩＰＭ５１は、複数の素子端子５１ｃを備え、縦型サブ基板５３とＩＰＭ５１とが平行対面するように、素子端子５１ｃを縦型サブ基板５３にはんだ付けされることにより実装されている。
【００１５】
また、ＩＰＭ５１を制御する回転数制御回路６１のマイコン６１ａおよび発振子６１ｃは、縦型サブ基板５３に面実装されている。
【００１６】
また、ＩＰＭ５１は、ＩＰＭ取付けネジ５５およびナット５７により、図１１に示す金属平板をＵ字型に折り曲げ成形された放熱板５９に密着するように取付けられているとともに、放熱板５９は縦型サブ基板５３およびＩＰＭ５１を囲うように配置されている。
【００１７】
尚、ＩＰＭ５１と放熱板５９の間には絶縁シート９９が配置されており、素子端子５１ｃと放熱板５９の間の絶縁距離を確保している。
【００１８】
縦型サブ基板５３および放熱板５９はメイン基板６７上に実装されているが、縦型サブ基板５３のメイン基板６７側の端面には複数の基板端子６５が取付けられており、この基板端子６５により縦型サブ基板５３とメイン基板６７が電気接続されている。
【００１９】
メイン基板６７には電源コネクタ５が取付けられており、電子回路装置７１に入力電源（たとえばＡＣ１００Ｖ）を供給するとともに、アース（図示せず）に接続されるようになっている。
【００２０】
また、モータ駆動用電源回路６９ａおよび制御用電源回路６９ｂからなる電源回路６９は、メイン基板６７に実装されており、電源コネクタ５からの電源入力を入力としてＩＰＭ５１に駆動系電圧（たとえばＤＣ２８０Ｖ）と回転数制御回路に制御系電圧（たとえばＤＣ５Ｖ）を供給している。
【００２１】
また、メイン基板６７には出力コネクタ７が取付けられており、ＩＰＭ５１の出力は縦型サブ基板５３、メイン基板６７、そして出力コネクタ７を経由してモータ８に出力される。
【００２２】
次に、収納ボックスに収める仕様とした場合の電子回路装置について説明する。
【００２３】
図１２は、電子回路装置７１を密閉型電動圧縮機等の駆動に用いた場合において、電子回路装置７１を密閉型電動圧縮機の近傍等に設置できるように収納ボックス８１に収める仕様とした時の斜視図であるが、収納ボックス８１の内部に電子回路装置７１を収納し、金属性のカバー８５で蓋をし、カバー取付けネジ８７で固定する構造となっている。
【００２４】
カバー８５は放熱板５９と接触するようになっており、放熱板５９とカバー８５が熱伝導するようになっている。
【００２５】
収納ボックス８１の側面には電源コネクタ５および出力コネクタ７に接続された電気配線９５を収納ボックス８１の外部に取り出す窓部８１ａが設けられているが、配線カバー８９を配線カバー取付けネジ９１で収納ボックス８１に固定して蓋をすることにより、収納ボックス８１が密閉され、外部から水や埃等が収納ボックス８１の内部に浸入することを防ぐ構造となっている。
【００２６】
以上のように構成された電子回路装置について、以下その動作を説明する。
【００２７】
回転数制御回路６１は、モータ８からフィードバックされた三相の位置検知信号を入力とし、位置検知回路６１ｂにてモータ８の回転状況を検知するとともにマイコン６１ａで演算処理を行い、モータ８が所定の回転数で回転するようにＩＰＭ５１へ駆動信号を出力するが、マイコン６１ａは発振子６１ｃによって動作のためのクロックを発生させており、それにより内部に格納されたプログラムを実行し、ＩＰＭ５１を制御する。
【００２８】
ＩＰＭ５１内部の駆動回路５１ａは回転数制御回路６１のマイコン６１ａからの駆動信号を基に、モータ８が所定の回転数で動作するよう三相の駆動電圧波形をモータ８へ出力することにより、モータ８が所定の回転数で運転される。
【００２９】
また、ＩＰＭ５１の過電流保護回路５１ｂは、駆動回路５１ａからモータ８へ出力される出力電流値を監視し、規定の電流値以上になるとモータ８への駆動出力を停止し、ＩＰＭ５１およびモータ８を保護している。
【００３０】
次に、電子回路装置７１の放熱動作について述べると、電子回路装置７１においては、モータ８を駆動することにより駆動素子であるＩＰＭ５１が発熱する。
【００３１】
ＩＰＭ５１の発熱は絶縁シート９９を介して放熱板５９に熱伝導し、さらにカバー８５に熱伝導することによって収納ボックス８１の外部に放熱されるしくみになっている。
【特許文献１】特開２００６−２４７４６号公報
【発明の開示】
【発明が解決しようとする課題】
【００３２】
しかしながら、上記従来の構成では、収納ボックス８１の金属性カバー８５に使用者の手が触れるような構成である場合、感電に対する安全性の面から、放熱板５９と駆動系電圧が供給されている充電部などの絶縁距離（たとえば放熱板５９とＩＰＭ５１の素子端子の絶縁距離）は安全規格で一定以上の距離を確保するように定められているため、ＩＰＭ５１と放熱板５９の間に絶縁シートを入れなければならない他、ＩＰＭ５１のボディに金属板が使用された放熱性の良い種類のＩＰＭ５１については、ＩＰＭ５１を放熱板５９にネジ留めすることによって絶縁距離が確保できなくなってしまうため使用できないという課題を有していた。
【００３３】
本発明は上記従来の課題を解決するもので、放熱性が良く、絶縁シートを使用せずに安全規格の絶縁要求も満足する電子回路装置を提供するものである。
【課題を解決するための手段】
【００３４】
上記従来の課題を解決するために、本発明の電子回路装置は、収納ボックスのカバーと放熱板を電気的および熱的に接続するとともに放熱板をアースするようにしたもので、放熱板の熱を収納ボックスのカバーを介して外へ放熱するとともに、収納ボックスのカバーもアースされるという作用を有する。
【発明の効果】
【００３５】
本発明の電子回路装置は、放熱板の熱を収納ボックスのカバーを介して外へ放熱できるとともに、手が触れる可能性のある収納ボックスのカバーもアースされるため、信頼性が向上するとともに、感電に対する安全性も確保することができる。
【発明を実施するための最良の形態】
【００３６】
請求項１に記載の発明は、縦型サブ基板と前記縦型サブ基板上に前記縦型サブ基板と平行に対面するように実装されたＳＩＰ型半導体素子と前記縦型サブ基板上に実装され、前記ＳＩＰ型半導体素子の駆動を制御する制御半導体素子と、前記縦型サブ基板および前記ＳＩＰ型半導体素子を囲うように成形された放熱板と、前記縦型サブ基板の端部に配置された基板端子によって電気的に接続されることで前記縦型サブ基板を実装したメイン基板と、前記メイン基板を密閉収納する収納ボックスと、前記放熱板と熱的および電気的に接続されるとともに前記収納ボックスを密閉するカバーとを備え、前記放熱板はアースされたもので、収納ボックスの放熱性が良く、収納ボックス内に熱が籠もることを防止でき、さらに安全規格の絶縁要求も満足して感電に対して安全な電子回路装置とすることができる。
【００３７】
請求項２に記載の発明は、請求項１に記載の発明において、放熱板とメイン基板のアースパターンとを電気的に接続することによって前記放熱板およびカバーをアースしたもので、放熱板のアース接続構成を簡素化し、アース接続の作業性を向上させることができる。
【００３８】
請求項３に記載の発明は、請求項１または２に記載の発明において、放熱板の制御半導体素子と近接対面する側面に切り欠き開口部を設けたもので、アースを介した外来のサージやノイズに対して誤動作し難い密閉型電動圧縮機とすることができる。
【００３９】
請求項４に記載の発明は、請求項１から３のいずれか一項に記載の電子回路装置を密閉型電動圧縮機に用いたもので、放熱性が良く、安全規格の絶縁要求も満足する密閉型電動圧縮機とすることができる。
【００４０】
請求項５に記載の発明は、請求項４に記載の発明において、メイン基板の密閉型電動圧縮機への出力コネクタに、メイン基板のアースパターンと接続されたアース端子を設け、この端子に接続されたアース用電線と密閉容器とを電気的に接続することによってアースされるもので、密閉型電動圧縮機のアース接続構成を簡素化し、密閉型電動圧縮機を搭載する機器の生産工程を簡素化し、作業効率が向上し安価に製造することができる。
【００４１】
（実施の形態１）
図１は本発明の実施の形態１における電子回路装置の斜視図、図２は図１におけるＡ−Ａ線の断面図、図３は同実施の形態における電子回路装置の基板構成部の斜視図、図４は図３におけるＢ−Ｂ線の断面図である。
【００４２】
また、図５は同実施の形態における電子回路装置の電気回路ブロック図、図６は同実施の形態における放熱板の折り曲げ加工前の斜視図、図７は同実施の形態における密閉型電動圧縮機の電気回路ブロック図である。
【００４３】
電子回路装置１７１は、大まかには基板構成部１７１ａと収納ボックス１８１から構成され、収納ボックス１８１の内部に基板構成部１７１ａを収納し、カバー１８５で蓋をし、カバー取付けネジ１８７にて固定する構造になっている。
【００４４】
また、電子回路装置１７１は電気回路として、ＳＩＰ型半導体素子であるＩＰＭ１５１と、回転数制御回路１６１と、電源回路１６９と、電源およびアースと電気接続する電源コネクタ１０５、電子回路装置１７１とモータ１０８を電気接続する出力コネクタ１０７を備えている。
【００４５】
そして、ＩＰＭ１５１は駆動回路１５１ａおよび過電流保護回路１５１ｂを内部に形成している。回転数制御回路１６１は、ＩＰＭ１５１へ指令をだす制御半導体素子であるマイコン１６１ａと、マイコン１６１ａと接続される発振子１６１ｃと、三相のモータ１０８のロータ位置を検出する位置検知回路１６１ｂとから構成されている。
【００４６】
また、電源回路１６９は、ＩＰＭ１５１用のモータ駆動用電源回路１６９ａと、回転数制御回路１６１用の制御用電源回路１６９ｂとから構成されている。
【００４７】
また、電子回路装置１７１は上記電気回路を構成するために、その他の部品として、メイン基板１６７、縦型サブ基板１５３、放熱板１５９、ＩＰＭ取付けネジ１５５、ナット１５７、基板端子１６５、放熱板取付けネジ１６３などを備えている。
【００４８】
以下、電子回路装置１７１の詳細な構成について説明する。
【００４９】
ＳＩＰ型半導体素子であるＩＰＭ１５１は複数の素子端子１５１ｃを備え、縦型サブ基板１５３とＩＰＭ１５１とが平行対面するように、素子端子１５１ｃを縦型サブ基板１５３にはんだ付けされることにより実装されている。
【００５０】
また、ＩＰＭ１５１を制御する回転数制御回路１６１のマイコン１６１ａおよび発振子１６１ｃは、縦型サブ基板１５３に面実装されている。
【００５１】
また、ＩＰＭ１５１は、ＩＰＭ取付けネジ１５５およびナット１５７により、金属板をＵ字型に折り曲げ成形された放熱板１５９に密着するように取付けられているとともに、放熱板１５９は縦型サブ基板１５３およびＩＰＭ１５１を囲うようになっている。
【００５２】
また、放熱板１５９には切り欠き開口部１５９ｃおよび切り欠き開口部１５９ｄが形成されており、マイコン１６１ａおよび発振子１６１ｃは放熱板１５９と対面近接しない構造となっている。
【００５３】
縦型サブ基板１５３および放熱板１５９は、メイン基板１６７上に実装されているが、縦型サブ基板１５３のメイン基板１６７側の端面には複数の基板端子１６５が取付けられており、この基板端子１６５により縦型サブ基板１５３とメイン基板１６７が電気接続されている。
【００５４】
メイン基板１６７には電源コネクタ１０５が取付けられており、電子回路装置１７１に入力電源（たとえばＡＣ１００Ｖ）を供給するとともに、アースに接続されるようになっている。
【００５５】
また、モータ駆動用電源回路１６９ａおよび制御用電源回路１６９ｂからなる電源回路１６９はメイン基板１６７に実装されており、電源コネクタ１０５からの電源入力を入力としてＩＰＭ１５１に駆動系電圧（たとえばＤＣ２８０Ｖ）と回転数制御回路に制御系電圧（たとえばＤＣ５Ｖ）を供給している。
【００５６】
また、メイン基板１６７には出力コネクタ１０７が取付けられており、ＩＰＭ１５１の出力は縦型サブ基板１５３、メイン基板１６７、そして出力コネクタ１０７を経由してモータ１０８に出力される。
【００５７】
また、収納ボックス１８１の側面には電源コネクタ１０５および出力コネクタ１０７に接続された電気配線を外に取り出す窓部１８１ａが設けられているが、配線カバー１８９を配線カバー取付けネジ１９１で収納ボックス１８１に固定して蓋をすることにより、収納ボックス１８１が密閉され、外部から水や埃等が浸入するのを防ぐ構造になっている。
【００５８】
電子回路装置１７１を収納ボックス１８１に入れた仕様とする場合、ＩＰＭ１５１等で発生する熱が収納ボックス１８１の内部に籠もって温度が上昇してしまうため、カバー１８５はアルミ等の熱伝導の良い金属性の材料で構成するとともに、カバー１８５と放熱板１５９を熱接触させ、ＩＰＭ１５１の発熱を収納ボックス１８１の外へ逃がす構造としている。
【００５９】
そのために、放熱板１５９にはタッブ加工された固定用穴１５９ｅが設けられており、固定ネジ１９３によりカバー１８５と放熱板１５９を固定しており、それにより電気的にも放熱板１５９とカバー１８５が導通されている。
【００６０】
メイン基板１６７には、電源コネクタ１０５のアース端子１０７ｂと電気的に接続されたアースパターン１６７ａが銅箔にて形成されており、放熱板１５９は直角に折り曲げられた固定部１５９ａを有しているとともにタッブ加工された取付け穴１５９ｂが設けられており、放熱板取付けネジ１６３によって放熱板１５９とアースパターン１６７ａが電気的に接続されることにより放熱板１５９がアースされ、同時にカバー１８５もアースされるようになっている。
【００６１】
また、出力コネクタ１０７は、端子としてモータ１０８への駆動端子１０７ａの他に、アース端子１０７ｂを有しており、このアース端子１０７ｂはアースパターン１６７ａとはんだ付けによって電気接続されている。
【００６２】
図７は電子回路装置１７１を用いた密閉型電動圧縮機１９４を示すものであるが、図７において密閉型電動圧縮機１９４は、密閉容器１９５内に、モータ１０８と圧縮要素１９２とを収納している。
【００６３】
密閉型電動圧縮機１９４の密閉容器１９５は、アース用電線１９７によって出力コネクタ１０７の端子であるアース端子１０７ｂを介して電気的に電子回路装置１７１のアースパターン１６７ａに接続されているとともに、出力コネクタ１０７の駆動端子１０７ａに接続されている駆動用の電気配線とともに一纏めにされている。
【００６４】
以上のように構成された電子回路装置について、以下その動作を説明する。
【００６５】
回転数制御回路１６１は、モータ１０８からフィードバックされた三相の位置検知信号を入力とし、位置検知回路１６１ｂにてモータ１０８の回転状況を検知するとともにマイコン１６１ａで演算処理を行い、モータ１０８が所定の回転数で回転するようにＩＰＭ１５１へ駆動信号を出力するが、マイコン１６１ａは発振子１６１ｃによって動作のためのクロックを発生させており、それにより内部に格納されたプログラムを実行し、ＩＰＭ１５１を制御する。
【００６６】
ＩＰＭ１５１内部の駆動回路１５１ａは回転数制御回路１６１のマイコン１６１ａからの駆動信号を基に、モータ１０８が所定の回転数で動作するよう三相の駆動電圧波形をモータ１０８へ出力することにより、モータ１０８が所定の回転数で運転される。
【００６７】
また、ＩＰＭ１５１の過電流保護回路１５１ｂは、駆動回路１５１ａからモータ１０８へ出力される出力電流値を監視し、規定の電流値以上になるとモータ１０８への駆動出力を停止し、ＩＰＭ１５１およびモータ１０８を保護している。
【００６８】
さらに、モータ１０８が運転されるとＩＰＭ１５１が発熱するが、放熱板１５９およびカバー１８５によりＩＰＭ１５１の発熱を放熱することで、ＩＰＭ１５１の温度が極端に上昇することを防止し、ＩＰＭ１５１が過度の温度上昇により故障することを防止している。
【００６９】
さらに、カバー１８５は放熱板１５９およびアースパターン１６７ａを介して電源コネクタ１０５のアースに接続されており、アースされることにより、カバー１８５での感電に対する安全性を確保して密閉型電動圧縮機１９４を運転される。
【００７０】
ところで、放熱板１５９をアースに接続すると、縦型サブ基板１５３と放熱板１５９が近接しているため、縦型サブ基板１５３の電子回路がアースを介した外来のサージやノイズにより、放熱板１５９から輻射ノイズを受け、誤動作し易くなってしまう欠点があった。
【００７１】
特にマイコン１６１ａおよび発振子１６１ｃから成るクロックの発振回路は、一般的に外来のノイズにより誤動作し易い電子回路であるが、放熱板１５９が切り欠き開口部１５９ｃを有することにより、マイコン１６１ａおよび発振子１６１ｃは放熱板１５９と対面近接しない構造となっているので、放熱板１５９からの輻射ノイズを受けることなく電子回路装置１７１はモータ１０８および密閉型電動圧縮機１９４を運転することができる。
【００７２】
また、密閉型電動圧縮機１９４の密閉容器１９５はアース用電線１９７によって電子回路装置１７１のアースパターン１６７ａと接続されるため、確実にアースされ、密閉型電動圧縮機１９４における感電に対する安全性を確保して運転される。
【００７３】
以上の説明のように、放熱板１５９をアースするとともに、放熱板１５９と収納ボックス１８１のカバー１８５を電気的および熱的に接続することにより、カバー１８５もアースされるようになり、絶縁シートを必要とせず、絶縁シートによる熱伝達のロスを減らすことができ、放熱性を向上させながら感電に対する信頼性も向上させることができるという効果を得ることができる。
【００７４】
また、放熱板１５９とメイン基板１６７のアースパターン１６７ａとを電気的に接続することにより、放熱板１５９のアース接続構成を簡素化し、アース接続作業を簡単にすることができるという効果を得ることができる。
【００７５】
また、放熱板１５９が切り欠き開口部１５９ｃおよび切り欠き開口部１５９ｄを有することにより、マイコン１６１ａおよび発振子１６１ｃは放熱板１５９と対面近接しない構造となり、それにより電子回路装置１７１にアースを介した外来サージやノイズが印加された場合に、マイコン１６１ａが放熱板１５９からの輻射ノイズを受けなくなり、誤動作しなくなるという効果を得ることができる。
【００７６】
また、上記電子回路装置１７１を用いた密閉型電動圧縮機１９４においても、放熱性を向上させ、感電に対する信頼性も向上させることがで、接続構成を簡素化してアース接続作業を簡単にすることができるとともに、アースを介した外来サージやノイズに対して誤動作しなくなるという効果を得ることができる。
【００７７】
また、出力コネクタ１０７にアース端子１０７ｂを設け、このアース端子１０７ｂに接続されたアース用電線１９７と密閉型電動圧縮機１９４の密閉容器１９５を接続することにより、密閉型電動圧縮機１９４をアースするため、密閉型電動圧縮機１９４のアース接続構成を簡素化し、密閉型電動圧縮機１９４を搭載する機器の生産工程を簡素化し、コストダウンすることもできるという効果を得ることができる。
【産業上の利用可能性】
【００７８】
以上のように、本発明にかかる電子回路装置は、放熱性を向上させて、感電に対する安全性を向上するとともに、外来のノイズに対する信頼性を向上することが可能となるので、インバーター制御機器だけではなく、半導体素子を用いた他の電子回路装置にも適用することができる。
【図面の簡単な説明】
【００７９】
【図１】本発明の実施の形態１における電子回路装置の斜視図
【図２】図１におけるＡ−Ａ線の断面図
【図３】同実施の形態における電子回路装置の基板構成部の斜視図
【図４】図３におけるＢ−Ｂ線の断面図
【図５】同実施の形態における電子回路装置の電気回路ブロック図
【図６】同実施の形態における放熱板の折り曲げ加工前の斜視図
【図７】同実施の形態における密閉型電動圧縮機の電気回路ブロック図
【図８】従来の電子回路装置の斜視図
【図９】従来の電子回路装置の側面図
【図１０】従来の電子回路装置の電気回路ブロック図
【図１１】従来の電子回路装置における放熱板の折り曲げ加工前の斜視図
【図１２】従来の電子回路装置を専用の収納ボックスに収めた斜視図
【図１３】図１２におけるＣ−Ｃ線の側断面図
【符号の説明】
【００８０】
１０７  出力コネクタ
１０７ｂ  アース端子
１５１  ＩＰＭ
１５３  縦型サブ基板
１５９  放熱板
１５９ｃ，１５９ｄ  切り欠き開口部
１６１ａ  マイコン
１６７  メイン基板
１６７ａ  アースパターン
１７１  電子回路装置
１８１  収納ボックス
１８５  カバー
１９４  密閉型電動圧縮機
１９５  密閉容器
１９７  アース用電線
【図１】
2009081233.tif 000003
【図３】
2009081233.tif 000004
【図６】
2009081233.tif 000005
【図７】
2009081233.tif 000006
【図８】
2009081233.tif 000007
【図９】
2009081233.tif 000008
【図１１】
2009081233.tif 000009
【図１２】
2009081233.tif 000010
【図２】
2009081233.tif 000011
【図４】
2009081233.tif 000012
【図５】
2009081233.tif 000013
【図１０】
2009081233.tif 000014
【図１３】
2009081233.tif 000015